(57)【要約】【課題】動作時に、ヘッドを安定浮上させることが可能な導光構造付きヘッドジンバルアセンブリおよび情報記録再生装置を提供する。【解決手段】一定方向に回転する磁気記録媒体の外側に配置されたピボット軸のまわりを回動可能に形成された回動部材３と、回動部材の先端部に、磁気記録媒体の表面と対向するように取り付けられたスライダ２と、磁気記録媒体を加熱するための光をスライダに導入するための光導波路３２と、を備えた導光構造付きヘッドジンバルアセンブリ１２において、光導波路が、回動部材に設けられた凸部５０に支持されている。【選択図】図２
2010086624.tif 000002
【特許請求の範囲】
【請求項１】
一定方向に回転する磁気記録媒体の外側に配置されたピボット軸のまわりを回動可能に形成された回動部材と、
該回動部材の先端部に、前記磁気記録媒体の表面と対向するように取り付けられたスライダと、
前記磁気記録媒体を加熱するための光を前記スライダに導入するための光導波路と、を備えた導光構造付きヘッドジンバルアセンブリにおいて、
前記光導波路が、前記回動部材に設けられた凸部に支持されていることを特徴とする導光構造付きヘッドジンバルアセンブリ。
【請求項２】
前記回動部材が、
前記ピボット軸に回動可能に支持されたアーム部と、
該アーム部の先端側に支持されるベースプレートと、該ベースプレートと連結されるとともに、前記ベースプレートの先端側に延出する延出部を有するヒンジプレートと、該ヒンジプレートの延出部と連結されるロードビームと、該ロードビームに連結されるフレクシャと、を有するサスペンションと、を備え、
前記凸部が、前記サスペンションに設けられていることを特徴とする請求項１に記載の導光構造付きヘッドジンバルアセンブリ。
【請求項３】
前記光導波路と前記フレクシャの表面とが平行になるように前記凸部の高さが設定されていることを特徴とする請求項２に記載の導光構造付きヘッドジンバルアセンブリ。
【請求項４】
前記光導波路と前記凸部とが支持された位置の前記ピボット軸側において、前記光導波路と前記回動部材とが直接固定されていることを特徴とする請求項１〜３のいずれかに記載の導光構造付きヘッドジンバルアセンブリ。
【請求項５】
前記凸部が、前記回動部材の表面に配された台座で構成されていることを特徴とする請求項１〜４のいずれかに記載の導光構造付きヘッドジンバルアセンブリ。
【請求項６】
前記凸部が、前記回動部材を加工して形成されていることを特徴とする請求項１〜４のいずれかに記載の導光構造付きヘッドジンバルアセンブリ。
【請求項７】
前記凸部が、前記光導波路を長手方向に沿って移動可能に支持することを特徴とする請求項１に記載の導光構造付きヘッドジンバルアセンブリ。
【請求項８】
前記凸部が、前記光導波路の長手方向に沿って形成された貫通孔を有し、
前記光導波路が、前記貫通孔に挿通されていることを特徴とする請求項７に記載の導光構造付きヘッドジンバルアセンブリ。
【請求項９】
前記凸部が複数備えられていることを特徴とする請求項１〜８のいずれかに記載の導光構造付きヘッドジンバルアセンブリ。
【請求項１０】
前記１〜９のいずれかに記載の導光構造付きヘッドジンバルアセンブリと、
光導波路に対して光束を入射させる光源と、
一定方向に回転する磁気記録媒体と、
該磁気記録媒体の外側に配置されたピボット軸と、
該ピボット軸のまわりを回動可能に形成されたアーム部と、
該アーム部の基端側を支持すると共に、該アーム部を前記磁気記録媒体の表面に平行な方向に向けて移動させるアクチュエータと、
前記磁気記録媒体を前記一定方向に回転させる回転駆動部と、
前記スライダおよび前記光源の作動を制御する制御部と、を備えていることを特徴とする情報記録再生装置。
【発明の詳細な説明】
【技術分野】
【０００１】
本発明は、光を集光したスポット光を利用して磁気記録媒体に各種の情報を記録再生する導光構造付きヘッドジンバルアセンブリおよび情報記録再生装置に関するものである。
【背景技術】
【０００２】
近年、コンピュータ機器におけるハードディスク等の容量増加に伴い、単一記録面内における情報の記録密度が増加している。例えば、磁気ディスクの単位面積当たりの記録容量を多くするためには、面記録密度を高くする必要がある。ところが、記録密度が高くなるにつれて、記録媒体上で１ビット当たりの占める記録面積が小さくなっている。このビットサイズが小さくなると、１ビットの情報が持つエネルギーが、室温の熱エネルギーに近くなり、記録した情報が熱揺らぎ等のために反転したり、消えてしまったりする等の熱減磁の問題が生じてしまう。
【０００３】
一般的に用いられてきた面内記録方式では、磁化の方向が記録媒体の面内方向に向くように磁気を記録する方式であるが、この方式では上述した熱減磁による記録情報の消失等が起こり易い。そこで、このような不具合を解消するために、記録媒体に対して垂直な方向に磁化信号を記録する垂直記録方式に移行しつつある。この方式は、記録媒体に対して、単磁極を近づける原理で磁気情報を記録する方式である。この方式によれば、記録磁界が記録膜に対してほぼ垂直な方向を向く。垂直な磁界で記録された情報は、記録膜面内においてＮ極とＳ極とがループを作り難いため、エネルギー的に安定を保ち易い。そのため、この垂直記録方式は、面内記録方式に対して熱減磁に強くなっている。
【０００４】
しかしながら、近年の記録媒体は、より大量且つ高密度情報の記録再生を行いたい等のニーズを受けて、さらなる高密度化が求められている。そのため、隣り合う磁区同士の影響や、熱揺らぎを最小限に抑えるために、保磁力の強いものが記録媒体として採用され始めている。そのため、上述した垂直記録方式であっても、記録媒体に情報を記録することが困難になっていた。
【０００５】
そこで、この不具合を解消するために、光を集光したスポット光、若しくは、光を集光した近接場光を利用して磁区を局所的に加熱して一時的に保磁力を低下させ、その間に書き込みを行うハイブリッド磁気記録方式が提供されている。特に、近接場光を利用する場合には、従来の光学系において限界とされていた光の波長以下となる領域における光学情報を扱うことが可能となる。よって、従来の光情報記録再生装置等を超える記録ビットの高密度化を図ることができる。
【０００６】
近接場光を利用した記録再生装置の構成は、磁気ディスク装置と略同一であり、磁気ヘッドに代わり、近接場光利用ヘッドを用いる。近接場光利用ヘッドは、光学的微小開口やナノメートルサイズの突起などからなる近接場光発生素子を持つ。近接場光発生素子は空気浮上技術を用いたスライダに搭載される。スライダはサスペンションの先端に取り付けられ、動圧により記録媒体に対して一定の高さで浮上する。これにより、近接場光発生素子は記録媒体上に存在する任意のデータマークへアクセスする。高速回転する記録媒体にスライダを追従させるため、近接場光利用ヘッドには記録媒体のうねりに対応して姿勢を安定させるフレクシャ機能をもたせている。このような構成の近接場光利用ヘッドは、ヘッドに光を供給するために光導波路などからなる光導入部を必要とする。ここでの光導波路は光ファイバも含む。電気配線に比べて配線の自由度が低い光導波路を用いて、いかに効率よく光を近接場光発生素子および記録媒体に導くかが、近接場光を利用した記録再生技術の重要な点である。
【０００７】
このような近接場光利用ヘッドにおいて、光導波路をスライダに接続し、メディア面に水平な方向に伝播している光導波路からの光を反射させて伝播方向を開口方向に向ける光反射面を用いて、微小なビームスポットを近接場光発生素子に入射させる手法が考慮されている（例えば、特許文献１、２参照）。
【０００８】
図１５に近接場光利用ヘッドアセンブリ（ヘッドジンバルアセンブリ）１００を用いた情報記録再生装置の概略を示す。近接場光利用ヘッドアセンブリ１００は、光ファイバ１０３、サスペンションアーム１０４、フレクシャ１０５、スライダ１０６、近接場光発生素子（不図示）から構成される。近接場光発生素子を搭載するスライダ１０６を、記録媒体１０７の表面に数ｎｍから数十ｎｍ程度まで近接した状態で記録媒体１０７を高速に回転させ、スライダ１０６が記録媒体１０７と常に一定の相対配置で浮上するために、フレクシャ１０５をサスペンションアーム１０４の先端部に形成している。
【０００９】
サスペンションアーム１０４は固定穴１０４ａを介してボイスコイルモータ（不図示）に固定されており、ボイスコイルモータによって記録媒体１０７の半径方向に移動可能である。ここで、スライダ１０６は、記録媒体１０７に近接場光発光素子が対面するように配置されている。レーザ１０１からの光束をスライダ１０６まで導く光伝播部は、レンズ１０２とサスペンションアーム１０４に固定された光ファイバ１０３から構成されている。必要に応じて、レーザ１０１は回路系１０８により強度変調などをかけることもできる。
【００１０】
上述した近接場光利用ヘッドアセンブリでは、サスペンションアーム１０４からフレクシャ１０５を介してスライダ１０６を記録媒体１０７に向かって押し付ける力と、記録媒体１０７の回転に伴う風圧によりスライダ１０６を浮上させる力とが釣り合うことによって、スライダ１０６は記録媒体１０７に対して数ｎｍから数十ｎｍ程度の間隙をもって安定に浮上している。サスペンションアーム１０４は、スライダ１０６方向に予め湾曲させられており、そのバネ力によってスライダ１０６への押し付け力を発生させている。記録再生装置の動作時は、サスペンションアーム１０４の湾曲は、スライダ１０６への押し付け力の反力のために緩和されている。
【特許文献１】国際特許公開第００／２８５３６号パンフレット
【特許文献２】特開２００１−２９７４６３号公報
【発明の開示】
【発明が解決しようとする課題】
【００１１】
しかしながら、上述した従来のヘッドジンバルアセンブリにあっては、比較的剛性の大きい光導波路（光ファイバ）を有し、その光導波路をサスペンションアームに直接固定していたため、スライダと光導波路との接続箇所からサスペンションアームと光導波路との接続箇所にかけて、光導波路が屈曲されて取り付けられている。そのため、スライダに光導波路の撓み力や張力がかかり、記録再生装置の動作時にスライダの動きを妨げ、スライダの動作姿勢（浮上時の状態）が不安定になるという問題があった。
【００１２】
そこで本発明は、このような事情を考慮してなされたもので、その目的は、動作時に、ヘッドを安定浮上させることが可能な導光構造付きヘッドジンバルアセンブリおよび情報記録再生装置を提供することである。
【課題を解決するための手段】
【００１３】
本発明は、前記課題を解決するために以下の手段を提供する。
本発明に係る導光構造付きヘッドジンバルアセンブリは、一定方向に回転する磁気記録媒体の外側に配置されたピボット軸のまわりを回動可能に形成された回動部材と、該回動部材の先端部に、前記磁気記録媒体の表面と対向するように取り付けられたスライダと、前記磁気記録媒体を加熱するための光を前記スライダに導入するための光導波路と、を備えた導光構造付きヘッドジンバルアセンブリにおいて、前記光導波路が、前記回動部材に設けられた凸部に支持されていることを特徴としている。
【００１４】
本発明に係る導光構造付きヘッドジンバルアセンブリにおいては、回動部材に設けられた凸部に光導波路を支持するため、スライダと光導波路との接続箇所から凸部と光導波路との接続箇所にかけて、光導波路を屈曲させることなく略直線的に配設することができる。したがって、浮上時（動作時）にスライダおよび回動部材が姿勢変動しても、光導波路からの力がスライダに作用しにくくなり、スライダを安定して浮上させることができる。
【００１５】
本発明に係る導光構造付きヘッドジンバルアセンブリは、前記回動部材が、前記ピボット軸に回動可能に支持されたアーム部と、該アーム部の先端側に支持されるベースプレートと、該ベースプレートと連結されるとともに、前記ベースプレートの先端側に延出する延出部を有するヒンジプレートと、該ヒンジプレートの延出部と連結されるロードビームと、該ロードビームに連結されるフレクシャと、を有するサスペンションと、を備え、前記凸部が、前記サスペンションに設けられていることを特徴としている。
【００１６】
本発明に係る導光構造付きヘッドジンバルアセンブリにおいては、サスペンションに設けられた凸部に光導波路を支持するため、スライダと光導波路との接続箇所から凸部と光導波路との接続箇所にかけて、光導波路を屈曲させることなく略直線的に配設することができる。したがって、浮上時（動作時）にスライダおよびサスペンションが姿勢変動しても、光導波路からの力がスライダに作用しにくくなり、スライダを安定して浮上させることができる。また、凸部をサスペンションに設けることによりスライダと凸部との距離を近接させることができる。したがって、スライダと凸部との間に配設される光導波路の長さを短くすることができるため、スライダに作用する光導波路からの力が小さくなり、スライダを安定して浮上させることができる。
【００１７】
また、本発明に係る導光構造付きヘッドジンバルアセンブリは、前記光導波路と前記フレクシャの表面とが平行になるように前記凸部の高さが設定されていることを特徴としている。
本発明に係る導光構造付きヘッドジンバルアセンブリにおいては、スライダと凸部との間に配設される光導波路を屈曲させることなく略直線的に配設することができる。したがって、浮上時（動作時）にスライダおよびサスペンションが姿勢変動しても、光導波路からの力がスライダに作用しにくくなり、スライダを安定して浮上させることができる。
【００１８】
また、本発明に係る導光構造付きヘッドジンバルアセンブリは、前記光導波路と前記凸部とが支持された位置の前記ピボット軸側において、前記光導波路と前記回動部材とが直接固定されていることを特徴としている。
本発明に係る導光構造付きヘッドジンバルアセンブリにおいては、スライダと凸部との間に配設される光導波路を屈曲させることなく略直線的に配設することができる。したがって、浮上時（動作時）にスライダおよびサスペンションが姿勢変動しても、光導波路からの力がスライダに作用しにくくなり、スライダを安定して浮上させることができる。また、光導波路と凸部とが支持固定された位置のピボット軸側において、光導波路と回動部材とを直接支持固定することにより、回動部材のトラッキングを安定させることができる。
【００１９】
また、本発明に係る導光構造付きヘッドジンバルアセンブリは、前記凸部が、前記回動部材の表面に配された台座で構成されていることを特徴としている。
本発明に係る導光構造付きヘッドジンバルアセンブリにおいては、回動部材の表面に台座を設けるだけで、スライダと光導波路との接続箇所から凸部と光導波路との接続箇所にかけて、光導波路を屈曲させることなく略直線的に配設することができる。したがって、簡易な構成で、スライダを安定して浮上させることができる。
【００２０】
また、本発明に係る導光構造付きヘッドジンバルアセンブリは、前記凸部が、前記回動部材を加工して形成されていることを特徴としている。
本発明に係る導光構造付きヘッドジンバルアセンブリにおいては、回動部材の一部を加工して凸部を形成するだけで、スライダと光導波路との接続箇所から凸部と光導波路との接続箇所にかけて、光導波路を屈曲させることなく略直線的に配設することができる。したがって、部品点数を増やすことなく、簡易な構成で、スライダを安定して浮上させることができる。
【００２１】
また、本発明に係る導光構造付きヘッドジンバルアセンブリは、前記凸部が、前記光導波路を長手方向に沿って移動可能に支持することを特徴としている。
さらに、前記凸部が、前記光導波路の長手方向に沿って形成された貫通孔を有し、前記光導波路が、前記貫通孔に挿通されていることを特徴としている。
本発明に係る導光構造付きヘッドジンバルアセンブリにおいては、凸部に光導波路を長手方向に沿って移動可能に支持するため、スライダと凸部との間に配設された光導波路を屈曲させることなく略直線的に配設することができる。したがって、浮上時（動作時）にスライダおよび回動部材が姿勢変動しても、光導波路からの力がスライダに作用しにくくなり、スライダを安定して浮上させることができる。また、凸部に貫通孔を形成し、光導波路を貫通孔に挿通することにより、光導波路を確実に支持することができる。
【００２２】
また、本発明に係る導光構造付きヘッドジンバルアセンブリは、前記凸部が複数備えられていることを特徴としている。
本発明に係る導光構造付きヘッドジンバルアセンブリにおいては、光導波路の敷設距離が長くなっても光導波路を確実に支持することができるとともに、スライダと凸部との間に配設される光導波路を屈曲させることなく略直線的に配設することができる。したがって、浮上時（動作時）にスライダおよびサスペンションが姿勢変動しても、光導波路からの力がスライダに作用しにくくなり、スライダを安定して浮上させることができる。
【００２３】
そして、本発明に係る情報記録再生装置は、上述した導光構造付きヘッドジンバルアセンブリと、光導波路に対して光束を入射させる光源と、一定方向に回転する磁気記録媒体と、該磁気記録媒体の外側に配置されたピボット軸と、該ピボット軸のまわりを回動可能に形成されたアーム部と、該アーム部の基端側を支持すると共に、該アーム部を前記磁気記録媒体の表面に平行な方向に向けて移動させるアクチュエータと、前記磁気記録媒体を前記一定方向に回転させる回転駆動部と、前記スライダおよび前記光源の作動を制御する制御部と、を備えていることを特徴としている。
本発明に係る情報記録再生装置においては、動作時に光導波路からの力がスライダに作用しにくくなるため、スライダを安定して浮上させることができる。
【発明の効果】
【００２４】
本発明に係る導光構造付きヘッドジンバルアセンブリによれば、回動部材に設けられた凸部に光導波路を支持するため、スライダと光導波路との接続箇所から凸部と光導波路との接続箇所にかけて、光導波路を屈曲させることなく略直線的に配設することができる。したがって、浮上時（動作時）にスライダおよび回動部材が姿勢変動しても、光導波路からの力がスライダに作用しにくくなり、スライダを安定して浮上させることができる。
【発明を実施するための最良の形態】
【００２５】
（第一実施形態）
（情報記録再生装置）
以下、本発明に係る第一実施形態を、図１〜図９を用いて説明する。図１は、本発明に係る情報記録再生装置１の概略構成図である。なお、本実施形態の情報記録再生装置１は、垂直記録層を有するディスク（磁気記録媒体）Ｄに対して、垂直記録方式で書き込みを行う装置である。
【００２６】
図１に示すように、情報記録再生装置１は、キャリッジ１１と、キャリッジ１１の基端側から光導波路３２を介して光束を供給するレーザ光源２０と、キャリッジ１１の先端側に支持されたヘッドジンバルアセンブリ（ＨＧＡ）１２と、ヘッドジンバルアセンブリ１２をディスク面Ｄ１（ディスクＤの表面）に平行なＸＹ面内方向にスキャン移動させるアクチュエータ６と、ディスクＤを回転軸Ｌを中心に回転させるスピンドルモータ７と、情報に応じて変調した電流をヘッドジンバルアセンブリ１２のスライダ２に対して供給する制御部５と、これら各構成品を内部に収容するハウジング９と、を備えている。
【００２７】
ハウジング９は、アルミニウム等の金属材料からなる上部開口部を有する箱型形状のものであり、上面視四角形状の底部９ａと、底部９ａの周縁において底部９ａに対して鉛直方向に立設する周壁（不図示）とで構成されている。そして、周壁に囲まれた内側には、上述した各構成品を収容する凹部が形成される。なお、図１においては、説明を分かりやすくするため、ハウジング９の周囲を取り囲む周壁を省略している。
【００２８】
このハウジング９には、ハウジング９の開口を塞ぐように図示しない蓋が着脱可能に固定されるようになっている。また、底部９ａの平面視略中央部には、上記スピンドルモータ７が取り付けられており、該スピンドルモータ７に中心孔を嵌め込むことでディスクＤが着脱自在に固定されている。
【００２９】
ディスクＤの外側で、底部９ａの一つの隅角部には、上述したアクチュエータ６が取り付けられている。このアクチュエータ６には、ピボット軸１０を中心にＸＹ面内方向で回動可能なキャリッジ１１が取り付けられている。このキャリッジ１１は、基端部から先端部に向けて（ディスクＤ方向に向けて）延設されたアーム部１４と、アーム部１４を基端部を介して片持ち状に支持する基部１５とが、削り出し加工等により一体形成されたものである。基部１５は、略直方体形状に形成されたものであり、ピボット軸１０を中心に回動可能に支持されている。つまり、基部１５はピボット軸１０を介してアクチュエータ６に連結されており、このピボット軸１０がキャリッジ１１の回転中心となっている。
【００３０】
アーム部１４は、基部１５におけるアクチュエータ６が取り付けられた側面１５ａと反対側の側面（隅角部の反対側の側面）１５ｂにおいて、基部１５の上面の面方向（ＸＹ方向）と平行に延出する平板状のものであり、基部１５の高さ方向（Ｚ方向）に沿って略等間隔に３枚延出している。具体的には、アーム部１４は、基端部から先端部に向かうにつれ先細るテーパ形状に形成されており、各アーム部１４，１４間に、ディスクＤが挟み込まれるように配置される。つまり、アーム部１４とディスクＤとが、交互に配置されており、アクチュエータ６の駆動によってアーム部１４がディスクＤの表面に平行な方向（ＸＹ面内方向）に移動可能になっている。
【００３１】
なお、本実施形態では、キャリッジ１１とヘッドジンバルアセンブリ１２とで回動部材１３を構成している。この回動部材１３は、ディスクＤの回転停止時にアクチュエータ６の駆動によって、ディスクＤ上から退避するようになっている。また、回動部材は、ヘッドジンバルアセンブリ１２のみで構成されていてもよい。
【００３２】
ヘッドジンバルアセンブリ１２は、図示しない近接場光発生素子を有するスライダ２に、レーザ光源２０からの光束を導いて近接場光（スポット光）を発生させ、該近接場光を利用してディスクＤに各種情報を記録再生させるものである。なお、近接場光発生素子は、例えば、光学的微小開口や、ナノメートルサイズに形成された突起部等により構成されている。
【００３３】
図２は、スライダ２を上向きにした状態でヘッドジンバルアセンブリ１２をスライダ２側から見た斜視図である。図３は、スライダ２を上向きにした状態でジンバル１７を見た平面図である。図４は、図３のＥ−Ｅ線に沿う断面図であり、スライダ２を上向きにした状態におけるサスペンション３先端の断面図である。
【００３４】
図２に示すように、ヘッドジンバルアセンブリ１２は、上記スライダ２をディスクＤから浮上させるサスペンションとして機能するものであり、スライダ２と、金属性材料により薄い板状に形成され、ディスク面Ｄ１に平行なＸＹ方向に移動可能なサスペンション３と、各レーザ光源２０から出射された光束をスライダ２の集光レンズまで導く光導波路３２と、を備えている。なお、サスペンション３は、スライダ２をディスク面Ｄ１に平行で且つ互いに直交する２軸（Ｘ軸、Ｙ軸）回りに回動自在な状態、即ち、２軸を中心として捻れることができるようにサスペンション３の下面に固定させるジンバル手段１６を備えている。
【００３５】
まず上記スライダ２は、ディスクＤとサスペンション３との間に配置された状態で、サスペンション３の下面に後述するジンバル１７を挟んで支持されている。スライダ２は、先端側に固定された再生素子（不図示）と、該再生素子に隣接して固定された記録素子（不図示）とを備えている。また、スライダ２は、記録素子を間に挟んで再生素子の反対側に、レーザ光源２０から出射された光束を集光させる図示しない集光レンズ（光学系）と、該集光レンズによって集光された光束から近接場光を発生させる上記近接場光発生素子とを有している。つまり、スライダ２には、先端部に再生素子、記録素子、近接場光発生素子が並んだ状態で配置されている。
【００３６】
また、スライダ２の下面は、ディスク面Ｄ１に対向する浮上面２ａとなっている。この浮上面２ａは、回転するディスクＤによって生じた空気流の粘性から、浮上するための圧力を発生させる面であり、ＡＢＳ（Ａｉｒ  Ｂｅａｒｉｎｇ  Ｓｕｒｆａｃｅ）と呼ばれている。具体的には、スライダ２をディスク面Ｄ１から離そうとする正圧とスライダ２をディスク面Ｄ１に引き付けようとする負圧とを調整して、スライダ２を最適な状態で浮上させるように設計されている。
【００３７】
スライダ２は、この浮上面２ａによってディスク面Ｄ１から浮上する力を受けているとともに、サスペンション３によってディスクＤ側に押さえ付けられる力を受けている。そしてスライダ２は、この両者の力のバランスによって、ディスク面Ｄ１から浮上するようになっている。
【００３８】
サスペンション３は、平面視略四角状に形成されたベースプレート２２と、ベースプレート２２の裏面（下面）に取り付けられるとともに、先端部がベースプレート２２から延出するように形成されたヒンジプレート２３と、ヒンジプレート２３の延出部に連結された平面視略三角状のロードビーム２４と、で構成されている。
【００３９】
ベースプレート２２は、ステンレス等の厚みの薄い金属材料によって構成されており、基端側には厚さ方向に貫通する開口２２ａが形成されている。そして、この開口２２ａを介してベースプレート２２がアーム部１４の先端に固定されるようになっている。ベースプレート２２の下面には、ステンレス等の金属材料により構成されたシート状のヒンジプレート２３が配置されている。このヒンジプレート２３は、ベースプレート２２の下面の全面に亘って形成された平板状のものであり、その先端部分はベースプレート２２の先端からベースプレート２２の長手方向に沿って延出する延出部２３ａが形成されている。延出部２３ａは、ヒンジプレート２３の幅方向両端部から２本延出しており、その先端部分には幅方向内側、つまり互いの延出部２３ａに向かう方向に幅が拡大する拡大部２３ｂが形成されている。この拡大部２３ｂの上面には、ロードビーム２４が連結されている。
【００４０】
ロードビーム２４は、ベースプレート２２と同様にステンレス等の厚みの薄い金属材料によって構成されており、その基端がベースプレート２２の先端との間に間隙を有した状態でヒンジプレート２３に連結されている。これにより、ヒンジプレート２３はベースプレート２２とロードビーム２４との間で屈曲して、ディスク面Ｄ１に垂直なＺ方向に向けて撓み易くなっている。つまり、ヒンジプレート２３の延出部２３ａが湾曲するように構成されている。
【００４１】
また、ロードビーム２４の先端側には、フレクシャ２５が設けられている。フレクシャ２５は、ステンレス等の金属材料により構成されたシート状のものであり、シート状に形成されることで厚さ方向に撓み変形可能に構成されている。フレクシャ２５は、ロードビーム２４の先端側に固定され、外形が上面視略六角形状に形成されたジンバル１７を有している。
【００４２】
図３、図４に示すように、ジンバル１７は、中間付近から先端にかけてディスク面Ｄ１に向けて厚さ方向に僅かながら反るように形成されている。そして、この反りが加わった先端側がロードビーム２４に接触しないように、基端側から略中間付近にかけてロードビーム２４に固定されている。
【００４３】
また、この浮いた状態のジンバル１７の先端側には、周囲がコ形状に刳り貫かれた切欠部２６が形成されており、この切欠部２６に囲まれた部分には連結部１７ａによって片持ち状に支持されたパッド部（舌片部）１７ｂが形成されている。つまり、このパッド部１７ｂは、連結部１７ａによってジンバル１７の先端側から基端側に向けて張出し形成されており、その周囲に切欠部２６を備えている。これにより、パッド部１７ｂはジンバル１７の厚さ方向に撓みやすくなっており、このパッド部１７ｂのみがサスペンション３の下面と平行になるように角度調整されている。そして、このパッド部１７ｂに上記スライダ２が載置固定されている。つまり、スライダ２は、パッド部１７ｂを介してロードビーム２４にぶら下がった状態となっている。
【００４４】
また、ロードビーム２４の先端には、パッド部１７ｂおよびスライダ２の略中心に向かって突出する突起部１９が形成されている。この突起部１９の先端は、丸みを帯びた状態となっている。そして突起部１９は、スライダ２がディスクＤから受ける風圧によりロードビーム２４側に浮上したときに、パッド部１７ｂの表面（上面）に点接触するようになっている。この浮上する力は、突起部１９からロードビーム２４に伝わって、該ロードビーム２４を撓ませるように作用する。また、ディスクＤのうねり等により、スライダ２にＸＹ方向に向かう風圧が加わったときに、スライダ２およびパッド部１７ｂは、突起部１９を中心としてＸ軸およびＹ軸の２軸回りに捩じれるようになっている。これにより、ディスクＤのうねりによるＺ方向の変位（ディスク面Ｄ１に略直交する方向への変位）を吸収することができ、スライダ２の姿勢が安定するようになっている。なお、これら突起部１９とパッド部１７ｂを有するジンバル１７とが、ジンバル手段１６を構成している。
【００４５】
図５は、キャリッジ１１の基部１５の側面図である。
図１，５に示すように、キャリッジ１１の基部１５における側面１５ｃには、ターミナル基板３０が配置されている。このターミナル基板３０は、ハウジング９に設けられた制御部５とスライダ２とを電気的に接続する際の中継点となるものであり、その表面には、各種制御回路（不図示）が形成されている。制御部５とターミナル基板３０とは可撓性を有するフラットケーブル４により電気的に接続されている一方、ターミナル基板３０とスライダ２とは、電気配線（不図示）により接続されている。電気配線は、キャリッジ１１毎に設けられたスライダ２の数に対応して設けられており、フラットケーブル４を介して制御部５から出力された信号が、電気配線を介してスライダ２に出力されるようになっている。
【００４６】
また、ターミナル基板３０には、スライダ２の集光レンズに向けて光束を供給する上記レーザ光源２０が配置されている。レーザ光源２０は、フラットケーブル４を介して制御部５から出力された信号を受信し、この信号に基づいて光束を出射するものであり、各アーム部１４に設けられたスライダ２の数に対応して基部１５の高さ方向（Ｚ方向）に沿って略等間隔に３個配列されている。各レーザ光源２０の出射側には、各レーザ光源２０から出射された光束をスライダ２の集光レンズまで導く光導波路３２が接続されている。
【００４７】
ここで、光導波路３２としては、コアとクラッドを有する光ファイバなどが用いられる。光導波路３２として使用される材料の一例を記載すると、例えば、石英（ＳｉＯ２）でコアを形成し、フッ素をドープした石英でクラッドを形成する組み合わせが考えられる。この場合には、光束の波長が４００ｎｍのときに、コアの屈折率が１．４７となり、クラッドの屈折率が１．４７未満となるため好ましい。また、ゲルマニウムをドープした石英でコアを形成し、石英でクラッドを形成する組み合わせも考えられる。この場合には、光束の波長が４００ｎｍのときに、コアの屈折率が１．４７より大きくなり、クラッドの屈折率が１．４７となるため、好ましい。特に、コアとクラッドとの屈折率差が大きいほど、コア内に光束を閉じ込める力が大きくなるため、コアに酸化タンタル（Ｔａ２Ｏ５：波長が５５０ｎｍのときに屈折率が２．１６）を用い、クラッドに石英などを用いて、両者の屈折率差を大きくすることがより好ましい。また、赤外領域の光束を利用する場合には、赤外光に対して透明な材料であるシリコン（Ｓｉ：屈折率が約４．０）でコアを形成することも有効である。
【００４８】
図２に戻り、光導波路３２は、スライダ２に接続されている。ここで、レーザ光源２０とスライダ２との間のフレクシャ２５の下面に台座５０が設けられており、台座５０において光導波路３２が支持固定されている。なお、台座５０は例えば樹脂製のブロック体で形成されており、フレクシャ２５に接着剤などにより固定されている。
【００４９】
また、台座５０の高さＨ１（図４参照）は、スライダ２と台座５０との間に配設される光導波路３２とフレクシャ２５の表面とが略平行になる高さに設定されている。このように構成することにより、ヘッドジンバルアセンブリ１２（情報記録再生装置１）の動作時に光導波路３２からの力がスライダ２に作用しにくくなり、スライダ２を安定して浮上させることができる。
【００５０】
さらに、光導波路３２は、台座５０に支持固定された位置のピボット軸１０側において、フレクシャ２５の表面に直接支持固定されている。このように構成することにより、回動部材１３（ヘッドジンバルアセンブリ１２）のトラッキング性能を安定させることができる。
【００５１】
（ヘッドジンバルアセンブリの組立方法）
次に、ヘッドジンバルアセンブリ１２の組立方法について説明する。
まず、ロードビーム２４にスライダ２を取り付け、ロードビーム２４とベースプレート２２とを、ヒンジプレート２３を介して連結する。
次に、フレクシャ２５に台座５０を接着剤などにより固定する。
そして、光導波路３２をスライダ２に接続した後、光導波路３２とフレクシャ２５の表面とが略平行になるように架設した状態で光導波路３２を台座５０に接着剤などにより支持固定する。
その後、台座５０よりピボット軸１０側において、光導波路３２をフレクシャ２５の表面に接着剤などにより直接支持固定した後、光導波路３２の他端をレーザ光源２０に接続することによりヘッドジンバルアセンブリ１２の組立が完了する。
【００５２】
次に、このように構成された情報記録再生装置１により、ディスクＤに各種の情報を記録再生する手順について以下に説明する。
まず、スピンドルモータ７を駆動させてディスクＤを所定方向に回転させる。次いで、アクチュエータ６を作動させて、ピボット軸１０を回転中心としてキャリッジ１１を回動させ、キャリッジ１１を介してヘッドジンバルアセンブリ１２をＸＹ方向にスキャンさせる。これにより、ディスクＤ上の所望する位置にスライダ２を位置させることができる。
【００５３】
ここで、キャリッジ１１の基部１５が、ピボット軸１０まわりを回動可能に構成されているため、アーム部１４は、ピボット軸１０を回転中心としてディスク面Ｄ１に平行な方向に移動する。この時、基部１５のターミナル基板３０上にレーザ光源２０を設けることで、スライダ２にレーザ光源２０を搭載した場合に比べて、スライダ２の移動時においてキャリッジ１１に作用するモーメントが小さい。したがって、トラッキングの精度を維持することができる。また、ターミナル基板３０は、制御部５とスライダ２とを電気的に接続する際の中継点となるものであり、電気配線はターミナル基板３０を基点としてスライダ２に引き回される。
【００５４】
次いで、レーザ光源２０から光束を光導波路３２に入射させて、光束をスライダ２に導く。スライダ２の集光レンズに光束を供給するレーザ光源２０が、スライダ２の基部１５におけるターミナル基板３０上に設けられている。この場合、レーザ光源２０から出射された光束は、光導波路３２からスライダ２に向かって伝播される。この時、光導波路３２の内部を伝播される光束は、スライダ２内で集光レンズによって集光され、スポットサイズが徐々に絞り込まれる。これにより、近接場光発生素子の周囲には、近接場光が滲み出るように発生する。
【００５５】
そして、近接場光が入射されたディスクＤは、この近接場光によって局所的に加熱されて一時的に保磁力が低下する。一方、制御部５によってスライダ２の記録素子に電流が供給されると、電磁石の原理によりディスクＤに対して垂直方向の記録磁界を発生させることができる。その結果、近接場光と記録素子で発生した記録磁界とを協働させたハイブリッド磁気記録方式により情報の記録を行うことができる。
【００５６】
これに対して、ディスクＤに記録された情報を再生する場合には、記録素子に隣接して固定されている再生素子が、ディスクＤから漏れ出ている磁界を受けて、その大きさに応じて電気抵抗が変化する。よって、再生素子の電圧が変化する。これにより制御部５は、ディスクＤから漏れ出た磁界の変化を電圧の変化として検出することができる。そして制御部５は、この電圧の変化から信号の再生を行うことで、情報の再生を行うことができる。
このように、スライダ２を利用してディスクＤに対して各種の情報を記録再生することができる。
【００５７】
ここで、スライダ２は、サスペンション３によって支持されているとともに、所定の力でディスクＤ側に押さえ付けられている。また、これと同時にスライダ２は、浮上面２ａがディスクＤに対向しているので、回転するディスクＤによって生じる風圧の影響を受けて浮上する力を受けている。この両者の力のバランスによって、スライダ２はディスクＤ上から離間した位置に浮遊している状態となっている。
【００５８】
この際スライダ２は、風圧を受けてサスペンション３側に押されるため、スライダ２を固定するジンバル１７のパッド部１７ｂとサスペンション３に形成された突起部１９とが、点接触した状態となる。そして、この浮上する力は、突起部１９を介してサスペンション３に伝わり、該サスペンション３をディスク面Ｄ１に垂直なＺ方向に向けて撓ませるように作用する。これにより、上述したようにスライダ２は浮上する。なお、サスペンション３には、ベースプレート２２とロードビーム２４とがヒンジプレート２３を介して連結されているため、ベースプレート２２とロードビーム２４との間で撓み易くなっている。
【００５９】
またスライダ２は、ディスクＤのうねりに起因して発生する風圧（ＸＹ方向に向かう風圧）を受けたとしても、ジンバル手段１６、即ち、突起部１９の先端に点接触したパッド部１７ｂを介してＸＹ軸回りに捩じれるようになっている。そのため、うねりによるＺ方向への変位を吸収することができ、浮上している際のスライダ２の姿勢を安定にすることができる。
【００６０】
ここで、本実施形態においては、情報記録再生装置１の動作時に、光導波路３２からの力がスライダ２に作用しにくくなるように構成した。具体的には、フレクシャ２５の表面に台座５０を設け、その台座５０に光導波路３２を固定した。また、スライダ２と台座５０との間に配設される光導波路３２が、フレクシャ２５の表面と平行になるように台座５０の高さＨ１を設定した。さらに、台座５０よりピボット軸１０側において、光導波路３２をフレクシャ２５の表面に接着剤などにより直接支持固定した。
【００６１】
本実施形態によれば、フレクシャ２５に設けられた台座５０に光導波路３２を支持固定したため、スライダ２と光導波路３２との接続箇所から台座５０と光導波路３２との接続箇所にかけて、光導波路３２を屈曲させることなく略直線的に配設することができる。したがって、浮上時（動作時）にスライダ２およびサスペンション３が姿勢変動しても、光導波路３２からの力がスライダ２に作用しにくくなり、スライダ２を安定して浮上させることができる。また、台座５０をフレクシャ２５に設けることによりスライダ２と台座５０との距離を近接させることができる。したがって、スライダ２と台座５０との間に配設される光導波路３２の長さを短くすることができるため、スライダ２に作用する光導波路３２からの力が小さくなり、スライダ２を安定して浮上させることができる。
【００６２】
また、光導波路３２とフレクシャ２５の表面とが平行になるように台座５０の高さＨ１を設定したため、浮上時（動作時）にスライダ２およびサスペンション３が姿勢変動しても、光導波路３２からの力がスライダ２に作用しにくくなり、スライダ２を安定して浮上させることができる。
【００６３】
また、光導波路３２と台座５０とが支持固定された位置のピボット軸１０側において、光導波路３２とフレクシャ２５の表面とを直接支持固定したため、回動部材１３のトラッキングを安定させることができる。
【００６４】
さらに、フレクシャ２５の表面に台座５０を設けるだけで、スライダ２と光導波路３２との接続箇所から台座５０と光導波路３２との接続箇所にかけて、光導波路３２を屈曲させることなく略直線的に配設することができる。したがって、簡易な構成で、スライダ２を安定して浮上させることができる。
【００６５】
なお、本実施形態では、図６に示すように、光導波路３２と台座５０とが支持固定された位置のピボット軸１０側において、光導波路３２とフレクシャ２５の表面とを直接支持固定しなくてもよい。
また、本実施形態では、図７、図８に示すように、台座５０をロードビーム２４の表面やヒンジプレート２３の表面に設けてもよい。
さらに、図９に示すように、台座５１はフレクシャ２５を凸状に加工して形成してもよい。このように構成すれば、フレクシャ２５の一部を加工するだけで台座５１が形成されるため、部品点数を増やすことなく、簡易な構成で、スライダ２を安定して浮上させることができる。
【００６６】
また、光導波路３２として半導体プロセスにて製造されたものを用いてもよい。ここで、クラッドおよびコアとして使用される材料の組み合わせの一例を記載すると、例えばＰＭＭＡ（メタクリル酸メチル樹脂）により、厚さが３〜１０μｍでコアを形成し、フッ素含有重合体により、厚さが数十μｍでクラッドを形成する組み合わせが考えられる。また、コアおよびクラッドをともにエポキシ樹脂（例えば、コア屈折率１．５２２〜１．５２３、クラッド屈折率１．５１８〜１．５１９）で構成したり、フッ素化ポリイミドで構成したりすることも可能である。また、コアとクラッドとの屈折率差が大きいほど、コア内に光束を閉じ込める力が大きくなるので、コアとクラッドとを構成する樹脂材料の配合等を調整して、両者の屈折率差を大きくすることが好ましい。例えば、フッ素化ポリイミドの場合、フッ素含有量を調整したり、放射光等のエネルギー照射によって、屈折率を制御することができる。
【００６７】
（第二実施形態）
次に、本発明に係る第二実施形態を、図１０、図１１を用いて説明する。なお、本実施形態は、第一実施形態と光導波路の支持方法が異なるだけであり、その他の構成については略同一であるため、同一箇所には同一符号を付して詳細な説明は省略する。
図１０、図１１に示すように、光導波路３２は、該光導波路３２を長手方向に沿って移動可能に支持する支持部材５５によって支持されている。支持部材５５は複数（本実施形態では５箇所）設けられ、ヒンジプレート２３、ロードビーム２４およびフレクシャ２５にそれぞれ接着剤などにより支持固定されている。
【００６８】
ここで、フレクシャ２５に取り付けられる支持部材５５は、台座５２上に配されている。なお、台座５２は例えば樹脂製のブロック体で形成されており、フレクシャ２５に接着剤などにより固定されている。また、台座５２と支持部材５５を樹脂や金属で一体形成してもよい。
【００６９】
また、台座５２の高さＨ２は、スライダ２と台座５２との間に配設される光導波路３２とフレクシャ２５の表面とが平行になる高さに設定されている。このように構成することにより、ヘッドジンバルアセンブリ１２（情報記録再生装置１）の動作時に光導波路３２からの力がスライダ２に作用しにくくなり、スライダ２を安定して浮上させることができる。
【００７０】
さらに、光導波路３２は、台座５２に支持固定された位置のピボット軸１０側において、ロードビーム２４およびヒンジプレート２３の表面に支持部材５５を介して支持固定されている。このように構成することにより、回動部材１３（ヘッドジンバルアセンブリ１２）のトラッキング性能を安定させることができる。
【００７１】
本実施形態によれば、フレクシャ２５に設けられた台座５２に光導波路３２を長手方向に沿って移動可能に支持する支持部材５５を取り付けるため、光導波路３２を屈曲させることなく略直線的に配設することができる。また、光導波路３２が長手方向に移動できるように支持部材５５を介してサスペンション３に支持している。したがって、浮上時（動作時）にスライダ２およびサスペンション３が姿勢変動しても、光導波路３２からの力がスライダ２に作用しにくくなり、スライダ２を安定して浮上させることができる。
【００７２】
また、光導波路３２とフレクシャ２５の表面とが平行になるように台座５２の高さＨ２を設定したため、浮上時（動作時）にスライダ２およびサスペンション３が姿勢変動しても、光導波路３２からの力がスライダ２に作用しにくくなり、スライダ２を安定して浮上させることができる。
【００７３】
また、台座５２が支持固定された位置のピボット軸１０側において、支持部材５５とロードビーム２４およびヒンジプレート２３の表面とを直接支持固定したため、回動部材１３のトラッキングを安定させることができる。
【００７４】
さらに、フレクシャ２５の表面に台座５２を設けるだけで、スライダ２と光導波路３２との接続箇所から台座５２と光導波路３２との接続箇所にかけて、光導波路３２を屈曲させることなく略直線的に配設することができる。したがって、簡易な構成で、スライダ２を安定して浮上させることができる。
【００７５】
（第三実施形態）
次に、本発明に係る第三実施形態を、図１２〜図１４を用いて説明する。なお、本実施形態は、第一実施形態とフレクシャの構成および光導波路の支持方法が異なるだけであり、その他の構成については略同一であるため、同一箇所には同一符号を付して詳細な説明は省略する。
【００７６】
図１２、図１３に示すように、フレクシャ１２５には、基部１５に向かって延設された支持体１０１が形成されている。つまり、支持体１０１は、ジンバル１７に一体形成されたシート状のものであり、サスペンション３に沿って基部１５に向かって延設されている。また、支持体１０１は、サスペンション３が変形した際に、サスペンション３の変形に追従するように構成されている。支持体１０１は、アーム部１４上から側面に回りこんで、アーム部１４の基部１５に至るまで引き回されている。さらに、支持体１０１は、ベースプレート２２の開口２２ａ上を通過しないように一部屈曲しながら基部１５方向へ延設されている。そして、支持体１０１には光導波路と電気配線とが一体になった複合配線１０３が支持されている。
【００７７】
複合配線１０３は、フレクシャ１２５上において光導波路１３２と電気配線１３１とに分岐し、それぞれがスライダ２に接続されている。ここで、光導波路１３２は複合配線１０３からそのまま長手方向に延設されてスライダ２に接続されている。一方、電気配線１３１は、複合配線１０３から斜め方向に延設され、ジンバル１７の周縁部に沿って配され、連結部１７ａの方向からスライダ２に接続されている。
【００７８】
ここで、レーザ光源２０とスライダ２との間のフレクシャ１２５の下面に台座５３が設けられており、台座５３において複合配線１０３から分岐した光導波路１３２が支持固定されている。なお、台座５３は例えば樹脂製のブロック体で形成されており、フレクシャ１２５に接着剤などにより固定されている。
【００７９】
また、図１４に示すように、台座５３の高さＨ３は、スライダ２と台座５３との間に配設される光導波路１３２とフレクシャ１２５の表面とが平行になる高さに設定されている。このように構成することにより、ヘッドジンバルアセンブリ１２（情報記録再生装置１）の動作時に光導波路１３２からの力がスライダ２に作用しにくくなり、スライダ２を安定して浮上させることができる。
【００８０】
さらに、台座５３に支持固定された位置のピボット軸１０側において、複合配線１０３はフレクシャ１２５の表面に直接支持固定されている。このように構成することにより、回動部材１３（ヘッドジンバルアセンブリ１２）のトラッキング性能を安定させることができる。なお、台座５３は、複合配線１０３とフレクシャ１２５との間に設けてもよい。
【００８１】
本実施形態によれば、フレクシャ１２５に設けられた台座５３に光導波路１３２を支持固定したため、スライダ２と光導波路１３２との接続箇所から台座５３と光導波路１３２との接続箇所にかけて、光導波路１３２を屈曲させることなく略直線的に配設することができる。したがって、浮上時（動作時）にスライダ２およびサスペンション３が姿勢変動しても、光導波路１３２からの力がスライダ２に作用しにくくなり、スライダ２を安定して浮上させることができる。また、台座５３をフレクシャ１２５に設けることによりスライダ２と台座５３との距離を近接させることができる。したがって、スライダ２と台座５３との間に配設される光導波路１３２の長さを短くすることができるため、スライダ２に作用する光導波路１３２からの力が小さくなり、スライダ２を安定して浮上させることができる。
【００８２】
また、光導波路１３２とフレクシャ１２５の表面とが平行になるように台座５３の高さＨ３を設定したため、浮上時（動作時）にスライダ２およびサスペンション３が姿勢変動しても、光導波路１３２からの力がスライダ２に作用しにくくなり、スライダ２を安定して浮上させることができる。
【００８３】
また、光導波路１３２と台座５３とが支持固定された位置のピボット軸１０側において、複合配線１０３とフレクシャ１２５の表面とを直接支持固定したため、回動部材１３のトラッキングを安定させることができる。
【００８４】
さらに、フレクシャ１２５の表面に台座５３を設けるだけで、スライダ２と光導波路１３２との接続箇所から台座５３と光導波路１３２との接続箇所にかけて、光導波路１３２を屈曲させることなく略直線的に配設することができる。したがって、簡易な構成で、スライダ２を安定して浮上させることができる。
【００８５】
なお、本発明は、上述した実施形態に限定されるものではなく、本発明の趣旨を逸脱しない範囲において、上述した実施形態に種々の変更を加えたものを含む。すなわち、上述した実施形態で挙げた構成や形状等はほんの一例に過ぎず、適宜変更が可能である。
例えば、上述の実施形態では、アーム部の片面側のみにヘッドジンバルアセンブリが設けられている構成について説明したが、各ディスク間に差し入れられるアーム部の両面に、各ディスクに対向するようにそれぞれヘッドジンバルアセンブリを設けるような構成も可能である。この場合、アーム部の両面側に設けられたヘッドジンバルアセンブリの各スライダにより、各スライダに対向するディスク面の情報の記録再生を行うことができる。つまり、１つのアーム部により２枚のディスクの情報を記録再生することができるため、情報記録再生装置の記録容量の増加および装置の小型化を図ることができる。
【００８６】
また、上述の実施形態では、スライダを浮上させた空気浮上タイプの情報記録再生装置を例に挙げて説明したが、この場合に限られず、ディスク面に対向配置されていればディスクとスライダとが接触していても構わない。つまり、本発明のスライダは、コンタクトスライダタイプのスライダであっても構わない。この場合であっても、同様の作用効果を奏することができる。
さらに、本実施形態では近接場光を利用した情報記録再生装置の場合で説明したが、スポット光を利用した情報記録再生装置に採用してもよい。
そして、本実施形態では、光導波路をサスペンションに取り付けた台座により支持した場合の説明をしたが、アーム部に台座を取り付け、該台座により光導波路を支持するようにしてもよい。
【図面の簡単な説明】
【００８７】
【図１】本発明の実施形態における情報記録再生装置の概略構成図である。
【図２】本発明の第一実施形態におけるヘッドジンバルアセンブリの斜視図（裏面）である。
【図３】本発明の第一実施形態におけるジンバルの平面図である。
【図４】図３のＥ−Ｅ線に沿う断面図である。
【図５】本発明の実施形態における基部の側面図である。
【図６】本発明の第一実施形態におけるヘッドジンバルアセンブリの別の態様を示す断面図（図３のＥ−Ｅ線に相当）である。
【図７】本発明の第一実施形態におけるヘッドジンバルアセンブリの別の態様を示す斜視図（裏面）である。
【図８】本発明の第一実施形態におけるヘッドジンバルアセンブリのさらに別の態様を示す斜視図（裏面）である。
【図９】本発明の実施形態における台座の別の態様を示す断面図（図３のＥ−Ｅ線に相当）である。
【図１０】本発明の第二実施形態におけるヘッドジンバルアセンブリの斜視図（裏面）である。
【図１１】本発明の第二実施形態におけるヘッドジンバルアセンブリの断面図（図３のＥ−Ｅ線に相当）である。
【図１２】本発明の第三実施形態におけるヘッドジンバルアセンブリの斜視図（裏面）である。
【図１３】本発明の第三実施形態におけるジンバルの平面図である。
【図１４】図１３のＦ−Ｆ線に沿う断面図である。
【図１５】従来のヘッドジンバルアセンブリの概略構成図である。
【符号の説明】
【００８８】
１…情報記録再生装置  ２…スライダ  ３…サスペンション  ５…制御部  ６…アクチュエータ  ７…スピンドルモータ（回転駆動部）  １０…ピボット軸  １２…ヘッドジンバルアセンブリ  １３…回動部材  １４…アーム部  ２０…レーザ光源（光源）  ２２…ベースプレート  ２３…ヒンジプレート  ２３ａ…延出部  ２４…ロードビーム  ２５，１２５…フレクシャ  ３２，１３２…光導波路  ５０，５１，５２，５３…台座（凸部）  ５５…支持部材  Ｄ…磁気記録媒体  Ｄ１…ディスク面（表面）  
【図１】
2010086624.tif 000003
【図２】
2010086624.tif 000004
【図３】
2010086624.tif 000005
【図４】
2010086624.tif 000006
【図５】
2010086624.tif 000007
【図６】
2010086624.tif 000008
【図７】
2010086624.tif 000009
【図８】
2010086624.tif 000010
【図９】
2010086624.tif 000011
【図１０】
2010086624.tif 000012
【図１１】
2010086624.tif 000013
【図１２】
2010086624.tif 000014
【図１３】
2010086624.tif 000015
【図１４】
2010086624.tif 000016
【図１５】
2010086624.tif 000017